(57)【要約】【課題】  従来と同等の消火能力を有し、簡単に取り付けが可能であるとともに、メンテナンス性及びデザイン性に優れた自動消火装置を提供する。【解決手段】  天井７に装着する自動消火装置１であって、自動消火装置は、消火液２１が充填された消火液容器２と該消火液容器内にガスを供給するためのガス供給装置４を備え、消火液容器には、特定の圧力で消火液を下方に向けて噴射する噴射ノズル３が設けられ、ガス供給装置には、炭酸ガスボンベ５と該炭酸ガスボンベ内のガスを放出させるための撃針装置６が設けられ、撃針装置は、特定の温度を感知して動作する感熱センサー６０と、炭酸ガスボンベに間隔を保って対峙させて設置された撃針６１を備え、ガス供給装置は、天井の下部に天井面に沿って横向きに接続されるとともに、その下部に消火液容器が接続され、感熱センサーが特定の温度を感知して撃針装置を動作させることにより、炭酸ガスボンベのガスを消火液容器に供給して、噴射ノズルから消火液を下方に向けて噴射させることを特徴とする。【選択図】図１
2018042714.tif 000002
【特許請求の範囲】
【請求項１】
天井に装着する自動消火装置であって、
前記自動消火装置は、消火液が充填された消火液容器と該消火液容器内にガスを供給するためのガス供給装置を備え、
前記消火液容器には、特定の圧力で消火液を下方に向けて噴射する噴射ノズルが設けられ、
前記ガス供給装置には、炭酸ガスボンベと該炭酸ガスボンベ内のガスを放出させるための撃針装置が設けられ、
前記撃針装置は、特定の温度を感知して動作する感熱センサーと、前記炭酸ガスボンベに間隔を保って対峙させて設置された撃針を備え、
前記ガス供給装置は、天井の下部に天井面に沿って横向きに接続されるとともに、その下部に前記消火液容器が接続され、
前記感熱センサーが特定の温度を感知して前記撃針装置を動作させることにより、前記炭酸ガスボンベのガスを前記消火液容器に供給して、前記噴射ノズルから消火液を下方に向けて噴射させることを特徴とする自動消火装置。
【請求項２】
前記消火液容器又は前記ガス供給装置に、前記天井に設けられた引掛シーリングボディに接続可能な接続部材が設けられていることを特徴とする請求項１に記載の自動消火装置。
【請求項３】
前記消火液容器及び前記ガス供給装置がカバー部材により覆われていることを特徴とする請求項１又は２に記載の自動消火装置。
【請求項４】
前記カバー部材の天井側端部に開口部が設けられていることを特徴とする請求項３に記載の自動消火装置。
【請求項５】
前記自動消火装置が、スプリンクラーよりも早く動作することを特徴とする請求項１から４のいずれか一項に記載の自動消火装置。
【請求項６】
前記撃針装置がスイッチの機能を備えるとともに、前記撃針装置に動作表示灯が電気的に接続され、前記撃針装置の動作に伴ってスイッチが入り、前記動作表示灯が点灯することを特徴とする請求項１から５のいずれか一項に記載の自動消火装置。
【請求項７】
前記撃針装置と前記動作表示灯の電気的な接続が、有線又は無線による接続であることを特徴とする請求項６に記載の自動消火装置。
【発明の詳細な説明】
【技術分野】
【０００１】
本発明は、自動消火装置に関する。
【背景技術】
【０００２】
従来より、天井取付型の自動消火装置が知られている。この自動消火装置としては、例えば、消火液が充填され、下部に噴射ノズルを備えたドーナツ形状の消火液容器と、このドーナツ形状の消火液容器の中心部に、炭酸ガスボンベと、熱を感知して炭酸ガスを消火液容器中に供給するための感熱センサーからなるガス供給装置を備え、ガス供給装置の感熱センサーが下向きになるように縦型に設置されたものが提案されている（例えば特許文献１を参照）。
【０００３】
この構造の自動消火装置は、消火器本体が天井裏に収納され、消火液の噴射ノズルと感熱センサーを天井面に露出させた状態で設置される。そして、火災が発生した際に、感熱センサーが熱を感知し、ガス供給装置に設けられた撃針が炭酸ガスボンベの封緘部を破壊して、炭酸ガスボンベ内の炭酸ガスを消火液容器内に誘導し、その圧力で噴射ノズルから消火液を室内に噴射するようになっている。
【０００４】
この自動消火装置の消火能力は、これまでに実験及び実際の火災発生時の初期消火で十分実証されており、近年では工場や商業施設の他、一般家庭等の小規模住宅にも設置されるようになってきている。
【０００５】
一方、上記の自動消火装置をより簡便に設置するための取り付け構造も提案されている。具体的には、例えば、消火器を固定するための特殊な野縁を別途設置し、この野縁に自動消火装置を取付るものや、より取り付けを容易にするために、野縁上面に載置されるＬ字状アングルからなる本体取付け具を用い、天井上面の野縁間に渡して取り付ける取り付け構造が開示されている（例えば、特許文献２を参照）。
【０００６】
しかしながら、これらの提案は、いずれも消火器本体が天井裏に収納された状態で、消火液の噴射ノズルと感熱センサーを天井面に露出させて設置する構造であるため、取り付けの際には天井の一部を施工する必要があり、既存の天井に施工なしで簡単に取り付けられるものではなかった。また、消火器本体のメンテナンスを行う場合には、自動消火装置を取り外す必要があったり、屋根裏側から行う必要があるため煩雑なものであった。
【０００７】
また、上記特許文献２の提案では、火器本体から突出したＬ字状アングルを使用するため、天井に穿設した開口部からの挿入作業が困難になる場合があった。更に、消火器本体を天井裏に収納しきれない家屋の場合、消火器本体の一部が露出したり、取り付けができない場合があった。
【０００８】
そこで、これらの問題を解決するために、上記の構造の自動消火装置を天井裏に設置せず、そのまま天井面から吊り下げるように設置するものが提案されている。
【先行技術文献】
【特許文献】
【０００９】
【特許文献１】特開平９−１３１４１６号公報
【特許文献２】特開平１２−１１６８１０号公報
【発明の概要】
【発明が解決しようとする課題】
【００１０】
しかしながら、上記の構造の自動消火装置においては、設置作業は従来のものに比べて簡単に行うことができるものの、ドーナツ形状の消火液容器の中心部にガス供給装置が縦方向に設けられている構造のため全体的に厚みを有し、天井の下に大きく露出するため、比較的天井が低い一般家庭に設置する場合には違和感を覚えることがあった。
【００１１】
また、一般的に火災により発生した熱は天井面に沿って流れるため、上記のような感熱センサーが下部に設けられた自動消火装置を天井面から吊り下げる設置構造においては、天井面から感熱センサーまでの距離があるため、火災の発生から自動消火装置の作動までの時間が従来に比べて遅くなる傾向があった。
【００１２】
本発明は以上のような事情に鑑みてなされたものであり、従来と同等の消火能力を有し、簡単に取り付けが可能であるとともに薄型であり、火災発生から作動までの時間が短く、メンテナンス性及びデザイン性に優れた自動消火装置を提供することを課題としている。
【課題を解決するための手段】
【００１３】
本発明の自動消火装置は、上記の技術的課題を解決するためになされたものであって、以下のことを特徴としている。
【００１４】
第１に、天井に装着する自動消火装置であって、前記自動消火装置は、消火液が充填された消火液容器と該消火液容器内にガスを供給するためのガス供給装置を備え、前記消火液容器には、特定の圧力で消火液を下方に向けて噴射する噴射ノズルが設けられ、前記ガス供給装置には、炭酸ガスボンベと該炭酸ガスボンベ内のガスを放出させるための撃針装置が設けられ、前記撃針装置は、特定の温度を感知して動作する感熱センサーと、前記炭酸ガスボンベに間隔を保って対峙させて設置された撃針を備え、前記ガス供給装置は、天井の下部に天井面に沿って横向きに接続されるとともに、その下部に前記消火液容器が接続され、前記感熱センサーが特定の温度を感知して前記撃針装置を動作させることにより、前記炭酸ガスボンベのガスを前記消火液容器に供給して、前記噴射ノズルから消火液を下方に向けて噴射させることを特徴とする。
【００１５】
第２に、上記第１の発明において、前記消火液容器又は前記ガス供給装置に、前記天井に設けられた引掛シーリングボディに接続可能な接続部材が設けられていることが好ましい。
【００１６】
第３に、上記第１又は第２の発明において、前記消火液容器及び前記ガス供給装置がカバー部材により覆われていることが好ましい。
【００１７】
第４に、上記第３の発明において、前記カバー部材の天井側端部に開口部が設けられていることが好ましい。
【００１８】
第５に、上記第１から第４の発明において、前記撃針装置の感熱センサーの感知温度が、スプリンクラーの感熱センサの感知温度よりも低く設定されていることが好ましい。
【００１９】
第６に、上記第１から第５の発明において、前記撃針装置がスイッチの機能を備えるとともに、前記撃針装置に動作表示灯が電気的に接続され、前記撃針装置の動作に伴ってスイッチが入り、前記動作表示灯が点灯することが好ましい。
【００２０】
第７に、上記第６の発明において、前記撃針装置と前記動作表示灯の電気的な接続が、有線又は無線による接続であることが好ましい。
【発明の効果】
【００２１】
本発明の自動消火装置によれば、従来と同等の消火能力を有し、簡単に取り付けが可能であるとともに薄型であり、火災発生から作動までの時間が短く、メンテナンス性及びデザイン性に優れた自動消火装置を提供することができる。
【図面の簡単な説明】
【００２２】
【図１】本発明の自動消火装置の一実施形態を示した概略断面図である。
【図２】噴射ノズルの一実施形態の噴射ノズルの概略断面図である。
【図３】（Ａ）は引掛シーリングボディの斜視図であり、（Ｂ）は引掛シーリングボディに接続可能な接続部材の斜視図である。
【図４】カバー部材を取り付けた自動消火装置の一実施形態を示す斜視図である。
【図５】有線による動作表示システムの一実施形態を示す概略図であり、（Ａ）は火災発生前の状態を示し、（Ｂ）は火災発生時の状態を示している。
【図６】無線による動作表示システムの一実施形態を示す概略図であり、（Ａ）は火災発生前の状態を示し、（Ｂ）は火災発生時の状態を示している。
【発明を実施するための形態】
【００２３】
図１に本発明の自動消火装置の一実施形態の概略断面図を示す。本実施形態の自動消火装置１は、天井７に装着するものであって、消火液２１が充填された消火液容器２と、この消火液容器２内にガスを供給するためのガス供給装置４を備えており、ガス供給装置４の下部に消火液容器２が接続されている。そして、ガス供給装置４が天井７の下部に取り付けられ、消火液容器２には、特定の圧力で消火液２１を下方に向けて噴射する噴射ノズル３が設けられている。そして、火災発生時に、ガス供給装置４からガスを消火液容器２に供給して噴射ノズル３から消火液２１を下方に向けて噴射するものである。
【００２４】
本実施形態の消火液容器２は、内部に消火液２１を充填することが可能な空間を有する扁平形状の円板型であり、下部中央部には、特定の圧力で充填された消火液２１を下方に向けて噴射する噴射ノズル３が設けられている。
【００２５】
消火液容器２内に充填される消火液２１は、「住宅用下方放出型自動消火装置の性能及び設置の基準」（平成6年3月9日付け消防予第53号）の第１４条（消火薬剤）で規定されたものであれば制限なく用いることができるが、中でも強化液消火薬剤、特に、第１８条（表示）別表１、２に示される第三種浸潤剤等入水(強化液の2.6倍以上の消火性能を有するものに限る)を好適に用いることができる。強化液消火薬剤はアルカリ金属塩類の水溶液であり、水系で冷却効果が高く、人体に及ぼす影響が殆どない。また、強化液消火薬剤は水よりも比重が大きいため、霧状にして噴射した場合でも、火炎による上昇気流で舞い上がることなく確実に下方に向けて散布することができる。
【００２６】
消火液容器２の下部に設けられる噴射ノズル３としては、例えば、図２に示す実施形態の噴射ノズル３を用いることができる。噴射ノズル３は、ノズル受３１、封緘ゴム膜３２、保護プラスチックシート３３、押えリング３４及び噴射キャップ３５から構成されている。
【００２７】
ノズル受３１は中央部に消火液通路を有する管状体であり、消火液容器２の下部に固定されている。
【００２８】
封緘ゴム膜３２は、火災の発生に伴う自動消火装置１の作動時に、消火液容器２の内圧によって破れて消火薬剤を通過させる部材である。封緘ゴム膜３２は、中央部のゴム膜本体と周囲の肉厚部から構成されており、ゴム膜本体と肉厚部は一体に形成されている。ゴム膜本体の厚みはゴム膜本体の材質に応じて決定することができ、特に限定されるものではないが、通常、０．３〜０．４ｍｍの範囲が考慮される。
【００２９】
保護プラスチックシート３３は、通常時の封緘ゴム膜３２の経時的な劣化や破損を防止するための部材であり、ノズル受３１の消火液通路の径よりやや広く形成されている。保護プラスチックシート３３の厚みは、使用するプラスチックの種類に応じて適宜決定することができるが、封緘ゴム膜３２の脈動を防止し得る剛性と、火災発生時、即ち、ガスが消火液容器２圧に導入されて、内圧が凡そ３〜４ｋｇ／ｃｍ2 程度になった時、弓型に曲がって、後述する押えリング３４の中央部の消火液通路を容易に通過できる柔軟性を有するものであれば特に限定されるものではない。このような条件を満足する厚みとして、通常０．２〜０．６ｍｍ程度、好ましくは０．３〜０．５ｍｍ程度が考慮される。
【００３０】
押えリング３４は、保護プラスチックシート３３を挟み込んだ状態で封緘ゴム膜３２と嵌合する部材であり、上部に溝部を有するリング状に形成されている。溝部は封緘ゴム膜３２の肉厚部が気密に嵌合する深さに形成されており、肉厚部はゴム膜本体をノズル受３１の先端に密着させるためのＯリングの役割を果たしている。
【００３１】
噴射キャップ３５は、封緘ゴム膜３２と押えリング３４を固定する部材であり、具体的には、ノズル受３１けの下部外周に形成された雄ねじと、噴射キャップ３５の上端内周に形成された雌ねじとの螺合により固定される。噴射キャップ３５の下部には噴射孔３６が複数設けられており、自動消火装置１の作動時には噴射孔３６を通して消火薬剤が下方に向けて一様に散布される。
【００３２】
本実施形態の自動消火装置１においては、消火液容器２の上部に、消火液容器２内にガスを供給するためのガス供給装置４が天井７面に沿って横向きに接続されている。
【００３３】
ガス供給装置４は、封緘部５１を有する炭酸ガスボンベ５と、炭酸ガスボンベ５の封緘部５１に対して間隔を保って対峙して設置され感熱センサー６０及び撃針６１を有する撃針装置６から構成されている。
【００３４】
撃針装置６は、炭酸ガスボンベ５の封緘部５１にわずかな間隙を保って撃針６１の先端が対峙した状態で固定されている。撃針６１の尾部には間隔を保って感熱センサー６０のはんだ容器６２、スプリング６３及びハンマー６４が設けられており、スプリング６３は圧縮した状態で装着してある。
【００３５】
感熱センサー６０のハンダ容器６２には常温で固形状のハンダ６５が収納され、ハンダ押え６６を介して止めネジ６７で係合レバー６８を押圧している。係合レバー６８の上端はハンマー６４と連結されており、下端はやや湾曲して係合部を形成している。すなわち、係合レバー６８によりスプリング６３を圧縮してハンマー６４を係止状態に維持している。また、はんだ容器６２には集熱板６９が接続されている。
【００３６】
上記の構造のガス供給装置４は、以下の機序により作動する。ます、火災が発生して室温が上昇すると、ガス供給装置４の感熱センサー６０のはんだ容器６２に接続された集熱板６９が熱せられ、この熱によりはんだ容器６２内のハンダ６５が溶融する。ハンダ６５が溶融すると係合レバー６８を押圧する力が解除され、係合部の係合が外れ、スプリング６３の弾撥力によってハンマー６４が勢いよく撃針６１の尾部を叩く。
【００３７】
その結果、撃針６１が炭酸ガスボンベ５の封緘部５１を破くことにより炭酸ガスが噴出し、噴出した炭酸ガスは消火液容器２に誘導される。
【００３８】
そして、消火液容器２に導入された炭酸ガスの圧力により、噴射ノズル３の封緘ゴム膜３２のが破れるとともに保護プラスチックシート３３が外れ、噴射キャップ３５の噴射孔３６から消火液２１が噴射され火災を鎮火する。
【００３９】
本実施形態の自動消火装置１においては、ガス供給装置４を天井７面と消火液容器２の間、即ち、消火液容器２の上部に天井７面に沿って横向きに接続することが重要である。火災の際、発生した熱は天井７面に沿って流れる。このような状況において、本実施形態の自動消火装置１は、ガス供給装置４、即ち、感熱センサー６０を天井７面に近い位置に配設しているため、従来の吊り下げ型の自動消火装置に比べて熱が早くガス供給装置４の感熱センサー６０に到達する。これにより早く作動させることが可能となり、より火災の初期消火に威力を発揮することができる。
【００４０】
また、ガス供給装置４を天井７面に沿って横向きに取り付けることにより、消火液容器２を扁平形状にすることが可能となり、従来の自動消火装置に比べて全体を薄型にすることができる。これによりデザイン性に優れた自動消火装置１とすることができる。
【００４１】
また、消火液容器２を扁平形状とすることにより、炭酸ガスボンベ５からのガスの圧力が消火液容器２内に均一に加わるため、噴射ノズル３から消火液２１を効率よく噴射することができる。
【００４２】
ここで、本実施形態の自動消火装置１は、スプリンクラーの近くに設置することがより好ましい。通常、一般的なスプリンクラーは、火災より発生した熱を感熱センサーにより感知して作動すると、貯蔵された消火用水の全てを一気に放出する。即ち、一度スプリンクラーが作動すると放水を途中で停止することはできない。そのため、初期消火の代償としてスプリンクラーから放水された消火用水による被害が甚大なものとなる場合があった。
【００４３】
本実施形態の自動消火装置１をスプリンクラーの近くに設置する場合、スプリンクラーが動作する前に本実施形態の自動消火装置１を作動するように設定する。感熱センサー６０が直接消火液２１に接していない本実施形態の自動消火装置１は、通常、感熱センサーが消火用水が供給された状態の配管に直接接続されているスプリンクラーに比べて早く動作するが、本実施形態の自動消火装置１では、より確実にスプリンクラーよりも早く動作するように設定することが望ましい。
【００４４】
自動消火装置１をスプリンクラーの作動よりもより確実に早く作動させるための具体的な方法としては、例えば、撃針装置６の感熱センサー６０の感知温度をスプリンクラーの感熱センサーの感知温度よりも低く設定することが考慮される。感熱センサー６０の感知温度は、はんだ容器内のはんだをスプリンクラーの感熱センサー６０の感知温度よりも低い融点のものとするすることにより調整することができる。感熱センサー６０の感知温度は、通常、約７２℃に設定されているが、例えば、６２℃に設定することにより、より確実にスプリンクラーよりも早く動作させることが可能となる。
【００４５】
また、はんだ容器６２に接続された集熱板６９の大きさを大きくしたり、集熱板６９の材質をより熱伝導率の高いものとすることによっても早く動作させることができる。
【００４６】
スプリンクラーが作動する前に自動消火装置１を作動させることにより、確実に初期消火が行えるとともに、スプリンクラーからの消火用水の放水による被害を最小限に抑えることできる。
【００４７】
本実施形態の自動消火装置１は、上記の通り、全体が天井７表面から垂下した状態で設置されるが、天井７への取り付け方法は特に限定されるものではなく、例えば、ねじやボルトにより直接取り付ける方法や、自動消火装置１と天井７の間に取り付け部材を介して取り付ける方法等が例示される。
【００４８】
本実施形態の自動消火装置１においては、消火液容器２又はガス供給装置４に、天井７に設けられた引掛シーリングボディに接続可能な、接続部材が設けることが好ましい。図３（Ａ）、（Ｂ）に一実施形態の引掛シーリングボディ８１及び接続部材８２の概略斜視図を示す。図３（Ａ）は一般的な引掛シーリングボディ８１を示し、図３（Ｂ）は接続部材８２の一実施形態を示す。
【００４９】
引掛シーリングボディ８１は、通常、一般住宅の天井７に設置されている照明器具に電力を供給するための電源ソケットであり、照明器具の重量を支える支持器具の役割を兼ねる部材である。なお、接続部材８２は、単に天井７と自動消火装置１を接続されるために用いられるものであり、引掛けシーリングボディ８１から電気を供給する機能を有する必要はなく、電気的に接続されていない引掛けシーリングボディ８１のみを天井７表面に取り付けることもできる。
【００５０】
消火液容器２又はガス供給装置４に設ける接続部材８２は、天井７表面に取り付けた引掛シーリングボディ８１に容易に外れないように接続可能なものであれば特に限定されるものではなく、例えば、図３（Ｂ）に示すような両端に鉤状フック８３が設けられた接続部材８２を用いることができる。なお、図３（Ｂ）の実施形態では、ガス供給装置４の上部に接続部材８２が接続されている。引掛けシーリングボディ８１に接続可能な接続部材８２を設けることにより、本実施形態の自動消火装置１を簡単に天井７に取り付けることが可能となる。
【００５１】
また、本実施形態の自動消火装置１においては、消火液容器２及びガス供給装置４がカバー部材により覆われていることが好ましい。図４にカバー部材９の一実施例を示す。カバー部材９は天井７に自動消火装置１を設置した状態で消火液容器２及びガス供給装置４が隠れるものであれば特に限定されるものではなく、その大きさやデザインは、部屋のデザイン等に応じて適宜決定することができる。なお、カバー部材９は下部から噴射ノズル３が露出するデザインとなっている。カバー部材９を設けることにより、部屋の雰囲気に合ったデザイン性に優れた自動消火装置１とすることができる。
【００５２】
また、本実施形態の自動消火装置１においては、カバー部材９の天井７側端部には開口部９１を設けることが好ましい。開口部９１は、火災によって発生し、天井７面に沿って流れる熱を感熱センサー６０により早く到達させるために設けるものである。開口部９１の形状は、火災によって天井７面に沿って流れる熱を通過させることができれば特に限定されるものではなく、例えば、スリット状や穴の形態で設けることができる。
【００５３】
このように、カバー部材９の天井７側端部に開口部９１を設けることにより、火災の発生により天井７面に沿って流れる熱を早く感熱センサー６０に到達させることができるため、自動消火装置１による初期消火をより確実なものにすることができる。
【００５４】
また、本実施形態の自動消火装置１においては、撃針装置６がスイッチの機能を備えるとともに、撃針装置６に動作表示灯が電気的に接続された動作表示システムを構成することが好ましい。図５（Ａ）、（Ｂ）に有線による動作表示システムの一実施形態の概略図を示す。図５（Ａ）は火災発生前の状態を示し、図５（Ｂ）は火災発生時の状態を示している。
【００５５】
撃針装置６に設けられるスイッチとしては、図５（Ａ）に示すように、炭酸ガスボンベ５の封緘部５１と撃針装置６の撃針６１を電気的に導通可能な材質とし、各々に電線１１を接続してスイッチとすることができる。
【００５６】
また、動作表示灯１０の点灯用電源１２として、家庭用電源のコンセントからの１００Ｖ電源や蓄電池等からの電源を用いることができる。これらの中でも、安定した電気供給やメンテナンス性等を考慮して家庭用電源を用いるのが好ましい。
【００５７】
図５（Ａ）に示す動作表示システムを備えた自動消火装置１を設置した状態で火災が発生した場合、図５（Ｂ）に示すように、炭酸ガスボンベ５の封緘部５１を撃針６１が貫いて接触し、動作表示灯１０を含む閉回路が形成されて動作表示灯１０が点灯する。これにより、自動消火装置１の設置場所から離れた場所で自動消火装置１の作動、即ち火災の発生を知ることができる。
【００５８】
また、スイッチと動作表示灯１０の電気的な接続は、図５（Ａ）（Ｂ）に示す有線による接続の他、図６（Ａ）、（Ｂ）に示すように無線により接続することができる。図６（Ａ）は火災発生前の状態を示し、図６（Ｂ）は火災発生時の状態を示している。
【００５９】
無線で接続する場合には、図６（Ａ）に示すようにスイッチの機能を付与した撃針装置６に送信機１３を接続するとともに、動作表示灯１０に受信機１４を接続する。このような装置構成とすることにより、図６（Ｂ）に示すように、火災が発生して炭酸ガスボンベ５の封緘部５１を撃針６１が貫き接触すると発信器を含む閉回路が形成されて発信器から動作信号が発信される。そして、これに伴い、動作表示灯１０に接続された受信機１４が動作信号を受信して動作表示灯１０が点灯する。
【００６０】
上記の無線による接続において、送信機１３及び受信機１４は、動作信号の送受信を行える装置の組み合わせであれば特に限定されるものではなく、例えば、送信機１３としてのＷｉｆｉルーターと受信機１４としてのコンピュータ、スマートフォン等の組み合わせや、送信機１３としてのブルートゥース（登録商標）と受信機１４としてのコンピュータ、スマートフォン等の組み合わせを挙げることができる。これにより、有線による接続に比べて、自動消火装置１の設置場所からより離れた場所での自動消火装置１の作動、即ち火災の発生を知ることができる。
【００６１】
また、図５、図６に示す封緘部５１と撃針６１の接触によるスイッチのほか、他の実施形態として、撃針装置６の先端部に電線１１を接続したマイクロスイッチを設け、撃針装置６の動作によりマイクロスイッチが入るようにしてもよい。
【００６２】
以上、実施形態に基づき本発明の自動消火装置１を説明したが、本発明は上記の実施形態に何ら限定されるものではなく、その要旨を逸脱しない範囲内において各種の変更が可能である。
【００６３】
例えば、上記実施形態の自動消火装置１では、消火液容器２の形状を扁平形状の円板型としたが、形状はこれに限定されず、例えば、薄い箱型等天井７のデザインに合わせた種々の形状とすることがができる。
【００６４】
また、上記実施形態の動作表示システムにおいては、自動消火装置１の作動、即ち火災の発生を動作表示灯１０の点灯により知らせるものとしたが、動作表示灯１０とともに、或いは別にスピーカーを設けて音声により知らせたり、監視カメラを動作させて画像により知らせて確認するようにすることもできる。これにより、火災発生の状況をより正確に把握することが可能となる。
【符号の説明】
【００６５】
１  自動消火装置
２  消火液容器
２１  消火液
３  噴射ノズル
４  ガス供給装置
５  炭酸ガスボンベ
６  撃針装置
７  天井
８１  引掛シーリングボディ
８２  接続部材
９  カバー部材
【図１】
2018042714.tif 000003
【図２】
2018042714.tif 000004
【図３】
2018042714.tif 000005
【図４】
2018042714.tif 000006
【図５】
2018042714.tif 000007
【図６】
2018042714.tif 000008